(57)【特許請求の範囲】
【請求項１】
撮影対象からの光を電気信号に変換する撮像手段と、
前記撮像手段から出力された電気信号を画像データに変換する変換手段と、
前記画像データを記録する記録手段と、
前記撮影対象を表示する光学ビューファインダと、
前記記録手段により記録された前記画像データを表示するディスプレイと、
前記光学ビューファインダの近傍に配置され、前記撮像手段による撮像の準備完了のタイミングを案内する第１の表示部と、
前記ディスプレイの近傍に配置され、前記第１の表示部により案内されないデジタルカメラの複数の状態遷移を表示する前記第１の表示部と異なる表示部であって、複数色の発光ダイオードにより、前記記録手段が前記撮像手段による撮像で生成された画像データを記録可能な状態であるか記録不可能な状態であるかを含む前記複数の状態遷移を表示する第２の表示部とを備えることを特徴とするデジタルカメラ。
【発明の詳細な説明】
【技術分野】
【０００１】
本発明は、デジタルカメラに関する。
【背景技術】
【０００２】
近年、電子スチールカメラ、いわゆるデジタルカメラが開発され、一般的に普及しつつある。
【０００３】
デジタルカメラは、撮影対象からの光を電気信号に変換し、この電気信号を画像データに変換して画像データ記録手段に記録し、パーソナルコンピュータ等の外部画像処理装置に出力するよう構成されており、外部画像処理装置側で印刷画像データ作成処理を行ない、作成された印刷画像データをプリンタに出力して用紙上に撮影画像を印刷し再生している。
【０００４】
また、多くのデジタルカメラは撮影対象の表示、ならびに画像データ記録手段に記録した画像データからの再生画像を表示する液晶ディスプレイ（以下、「液晶ディスプレイ」をＬＣＤという）を備えている。また、光電変換により得られた画像データは圧縮処理されて画像データ記録手段に記録されている。圧縮処理は、例えばＪＰＥＧ（Joint Photographic Experts Group）などのファイル形式の画像データに圧縮される圧縮処理が施される。
【発明の開示】
【発明が解決しようとする課題】
【０００５】
しかしながら、デジタルカメラは電子回路で動作し、画像データは画像データ記録手段に保存されるため、見掛け上の動作で従来の銀塩写真用のカメラ（以下、「銀塩写真用のカメラ」を銀塩カメラという）とは以下の点で相違している。
【０００６】
１．従来の銀塩カメラでは、被写体からの入射光が銀塩フィルムに感光し記録されるまでの時間は極めて短時間であるのに対し、デジタルカメラでは、撮像が信号変換、データ圧縮処理等を経てＪＰＥＧ画像データとして画像データ記録手段に記録されるまでに数秒程度要する。
【０００７】
２．従来の銀塩カメラでは、撮像時にシャッタ音等の機械音でカメラの動作状況を把握することができるのに対し、デジタルカメラは、銀塩カメラのような機械的な動作がないため、シャッタ音やフィルム巻取音等の機械音がない。
【０００８】
上記の１．および２．の理由により、撮像時にデジタルカメラが現在どのような動作状態にあるかを使用者が把握することは困難であった。このため、使用者が不安感を抱いたり、操作上の迷いにより操作ミスが発生したりするという問題があった。
【０００９】
そこで、上述のような問題を解決し、電源オン／オフの状態表示、オートフォーカス表示、露出のロック状態表示、画像データ処理中の状態表示等の他、カメラの撮影可能状態の表示を可能とするため、例えば緑色と赤色の２色の発光ダイオード（以下、「発光ダイオード」をＬＥＤという）を設けることが考えられる。
【００１０】
しかし、緑色と赤色の２色のＬＥＤを単に設けたのみでは、同一の点灯状態でカメラの異なる状態を表示している場合があり、使用者の不安感を取り除いたり、操作ミスの発生を防止したりすることは困難であった。
また、ＬＥＤの数を単に増加するのみでは、カメラの状態表示のための消費電力が増大し、製造コストが増大するという問題があった。
【００１１】
本発明は、このような問題を解決するためになされたものであり、カメラの状態を使用者に明示するデジタルカメラを提供することを目的とする。
本発明の他の目的は、消費電力を低減するデジタルカメラを提供することにある。
【課題を解決するための手段】
【００１２】
本発明のデジタルカメラによると、第１の表示部は撮像手段による撮像の準備完了のタイミングを案内し、第２の表示部は第１の表示手段により案内されない複数の状態遷移を案内する。この結果、撮像手段による撮像の準備完了のタイミングと第１の表示手段により案内されない複数の状態遷移とを使用者に認識させることができる。また、光学ビューファインダ近傍に第１の表示部を設け、ディスプレイ近傍に第２の表示部を設けることにより、撮像手段による撮像の準備完了のタイミングと第１の表示手段により案内されない複数の状態遷移とを、使用者に明確に認識させることができる。
【００１３】
本発明のデジタルカメラによると、第２の表示部は画像データ記録手段が画像データを記録不可能な状態であることを表示するので、画像データ記録手段の画像データが満杯となり、書き込み不可であることを使用者が容易に認識することができる。したがって、カメラの状態を使用者に明示することができる。
【００１４】
本発明のデジタルカメラによると、第２の表示部は電源の電位状態あるいは電源の種類を表示するので、バッテリの消費状態の認識、あるいは例えばＡＣ電源等の交流電源を使用していることの認識を容易にすることができる。したがって、カメラの状態を使用者に明示することができる。
【００１７】
本発明のデジタルカメラによると、第２の表示部は複数色のＬＥＤを有するので、カメラの状態を使用者が容易にかつ確実に認識することができる。
【発明を実施するための最良の形態】
【００１８】
本発明の実施の形態を図面に基づいて説明する。
（第１実施例）
本発明の第１実施例によるデジタルカメラを図１〜図４に示す。
【００１９】
図４に示すように、デジタルカメラ１は、制御部１０、集光レンズ１２、撮像手段としてのＣＣＤ（Charge Coupled Device）１３、変換手段としてのＡ／Ｄ変換器１４、画像データを一時的に記録する一時記憶手段としてのＲＡＭ（Random Access Memory）１５、画像データを記録する画像データ記録手段としてのフラッシュメモリ１６、画像を表示するＬＣＤ１７、ＬＣＤ１７に表示される画像のためのデータが格納されるＶＲＡＭ１８、フラッシュメモリ１６の内容を外部機器に出力するためのインターフェイス１９、第１の表示部としての撮影ＬＥＤ３１、第２の表示部としての状態ＬＥＤ４０などから構成される。
【００２０】
制御部１０はＣＰＵ（Central Processing Unit）と、デジタルカメラ１の様々な制御を行うためのプログラムが記録されたＲＯＭまたはフラッシュメモリを有している。制御部１０にはシャッタボタン２０、およびデジタルカメラ１への様々な指示を入力するダイアルスイッチ２４などの入力手段５０と出力手段とが接続されている。集光レンズ１２には集光レンズ１２に入射する光量を調節するための絞り１１が設けられている。ＣＣＤ１３として、例えばＣ（Cyan）、Ｍ（Magenta）、Ｙ（Yellow）、Ｇ（Green）の補色フィルタを有する複数の撮像素子がマトリックス状に配置されたＣＣＤを用いることにより、カラー画像を撮影することができる。補色フィルタは、Ｃ、Ｍ、Ｙの３色の場合もある。また、Ｒ（Red）、Ｇ（Green）、Ｂ（Blue）の原色フィルタを有するＣＣＤを用いる場合もある。ＲＡＭ１５としてはセルフリフレッシュ機能を有するＤＲＡＭ（Dynamic RAM）が用いられる。
【００２１】
フラッシュメモリ１６は通電しなくても記録内容を保持することのできる書き換え可能な記憶媒体であり、デジタルカメラ１に内蔵されるか、あるいはデジタルカメラ１のカードスロットに着脱自在に取り付けられている。フラッシュメモリ１６として例えばＰＣＭＣＩＡ規格に準拠したメモリーカード、またはＰＣＭＣＩＡカードアダプタに取り付け可能なメモリーカードを用いることにより、ＰＣＭＣＩＡカード用スロットを有するパーソナルコンピュータでフラッシュメモリ１６の内容を直接読み書きすることができる。
【００２２】
図３に示すように、デジタルカメラ１には上部にシャッタボタン２０とダイアルスイッチ２４とが設けられている。ユーザがシャッタボタン２０を押し込むことにより撮影が開始される。図４に示す制御部１０は、シャッタストローク検出部２２を介してシャッタボタン２０を可動範囲の途中まで押し込んだ「半押し」と、可動範囲の限界または限界近傍まで押した「全押し」とを区別して認識可能である。
【００２３】
ダイアルスイッチ２４は、図示しないバッテリからの電力をデジタルカメラ１の各部に供給するための主電源スイッチであり、また、図１に示すＬＣＤ１７の使用モードを切り替えるための切り替えスイッチでもある。バッテリとしては、アルカリ乾電池、ニッケル水素電池、リチウム電池、ニッカド電池等の電池以外に、図示しないＡＣアダプタを接続して交流電源を使用することができる。
【００２４】
ダイアルスイッチ２４は、「Ｖｉｅｗ」、「Ｏｎ」、「Ｐｌａｙ」、「Ｏｆｆ」の４つのモードを有している。「Ｖｉｅｗ」モードは、ＬＣＤ１７をファインダーとして利用し撮影を行うモードである。「Ｏｎ」モードは、デジタルカメラ１の消費電力を節約するためにＬＣＤ１７を非表示にし、後述するビューファインダ２３をのぞきながら撮影を行うモードである。「Ｐｌａｙ」モードは、すでに撮影され、フラッシュメモリ１６に記録された画像データに基づく画像をＬＣＤ１７に表示し、再生するモードである。「Ｏｆｆ」モードは、デジタルカメラ１の電源をオフにするモードである。
【００２５】
図２に示すように、デジタルカメラ１の前面に集光レンズ１２とビューファインダ２３とストロボ２５とが設けられている。集光レンズ１２は図示しないレンズキャップ等のバリアにより全面を覆うことが可能である。
【００２６】
図１に示すように、デジタルカメラ１の背面にＬＣＤ１７と入力手段５０とビューファインダ２３と撮影ＬＥＤ３１と状態ＬＥＤ４０とが設けられている。撮影ＬＥＤ３１はビューファインダ２３近傍に設けられており、通電により緑色に発光する。状態ＬＥＤ４０はＬＣＤ１７近傍に設けられており、通電により緑色に発光するＬＥＤ４１と通電により赤色に発光するＬＥＤ４２とを有している。状態ＬＥＤ４０はＬＥＤ４１とＬＥＤ４２との両方に通電されることにより橙色に発光する。撮影ＬＥＤ３１はＣＣＤ１３の動作状態を表示するためのものであり、状態ＬＥＤ４０は制御部１０の制御状態を表示するためのものである。撮影ＬＥＤ３１は、緑色の点灯、点滅および消灯により３種類の異なる状態を区別して表示することが可能である。また状態ＬＥＤ４０は、緑色、赤色および橙色の点灯、点滅および消灯により７種類の異なる状態を区別して表示することが可能である。
【００２７】
次に、上記のような構成のデジタルカメラ１の作動について、図４、図５および図６を用いて説明する。
図５は、デジタルカメラ１の作動を示すタイムチャートであり、図６は、デジタルカメラ１の制御部１０、撮影ＬＥＤ３１および状態ＬＥＤ４０の動作を示すフローチャートである。
【００２８】
(1) ダイアルスイッチ２４が「Ｏｆｆ」の位置にあるとき、すなわち図５に示すｔ0のとき、撮影ＬＥＤ３１は消灯の状態にある（図６のステップＳ１およびステップＳ２）。ダイアルスイッチ２４を「Ｖｉｅｗ」または「Ｏｎ」の位置にする、すなわち図５に示すｔ1のとき、主電源はオンにされ、デジタルカメラ１は撮影可能な待機状態となる。このとき、ＣＣＤ１３では数分の１秒〜数十分の１秒毎に集光レンズ１２により集光された光が電気信号に変換され、Ａ／Ｄ変換器１４でデジタルの信号に変換される。「Ｖｉｅｗ」モードの場合、画像データはＶＲＡＭ１８に転送され、撮影対象が動画としてＬＣＤ１７に表示される。そして撮影ＬＥＤ３１は、図５に示すｔ1〜ｔ3の間、点滅の状態から点灯の状態となる（図６のステップＳ３）。
【００２９】
(2) シャッタボタン２０を「半押し」状態にしている図５のｔ3〜ｔ5の間、露光およびフォーカスが設定され固定される場合、撮影ＬＥＤ３１は、点滅の状態から点灯の状態となる（図６のステップＳ４およびステップＳ５）。撮影時の露光は、ＣＣＤ１３から出力されるデータに基づいて制御部１０が集光レンズ１２の絞り１１や、シャッタスピードすなわちＣＣＤ１３の電荷蓄積時間を制御することによって変更可能である。デジタルカメラ１のシャッタは、物理的に光を遮る機械的なシャッタ、あるいはＣＣＤ１３の電荷蓄積時間を制御する電子シャッタの一方、または両方を利用することが可能である。露光およびフォーカスが固定されない場合、図６のステップＳ５を飛び越し、ステップＳ６に移行する。
【００３０】
(3) シャッタボタン２０を「全押し」にしている図５のｔ5〜ｔ6の間、以下のような処理が行われる。まず、撮影対象に対し正確な測光、焦点合わせなどを行う。測光、焦点合わせが完了したｔ6になると、ＣＣＤ１３に蓄積された電荷が一旦全て放電され、その後集光レンズ１２により集光された撮影対象からの光がＣＣＤ１３に入射する。ＣＣＤ１３は入射した光を光量に応じた電荷の量に基づいて電気信号に変換し出力する。
【００３１】
(4) ＣＣＤ１３において撮影対象からの光が電気信号への変換を完了すると、ＣＣＤ１３から出力された電気信号はＡ／Ｄ変換器１４によりデジタル信号に変換される。
【００３２】
(5) 図５に示すｔ6以降、デジタルカメラ１では上記の処理と並行して以下のような処理を行う。ＣＣＤ１３から出力されＡ／Ｄ変換器１４で電気信号からデジタル信号に変換されたデジタルデータは、高速化のためＤＭＡ（Direct Memory Access）により制御部１０を介さずに直接ＲＡＭ１５のアドレスを指定して記録される。
【００３３】
(6) ＲＡＭ１５に記録されたデジタルデータは、図５に示すｔ6〜ｔ7の間でホワイトバランスの調整、補間処理、色補正などの各種の画像補正が行われた後、ＲＡＭ１５およびフラッシュメモリ１６への記録枚数を増加させるために、例えばＪＰＥＧ（Joint Photographic Experts Group）などのファイル形式の画像データに圧縮し、容量の小さな画像データとして生成される。ＪＰＥＧファイルは約１６７０万色の画像を扱うことができる一般に用いられる画像圧縮方法であり、圧縮率を変更することにより画質を調整可能である。ＪＰＥＧ圧縮は、制御部１０によってソフトウェア的に行うほか、高速化のために専用の回路を設けることも可能である。
(7) 画像データの圧縮を完了すると、画像データはＲＡＭ１５からフラッシュメモリ１６へ複製され、記録される（図５に示すｔ7およびｔ8）。
【００３４】
上記の(6)および(7)において、フラッシュメモリ１６の画像データが満杯となり、書込み不可であると、状態ＬＥＤ４０のＬＥＤ４２が点滅の状態、すなわち赤色点滅となる（図６のステップＳ６およびステップＳ７）。そして、図６のステップＳ１に戻る。また、フラッシュメモリ１６が書込み可能であると、画像データはフラッシュメモリ１６に転送され（図６のステップＳ８）、状態ＬＥＤ４０のＬＥＤ４１が点滅の状態、すなわち緑色点滅となる（図６のステップＳ９）。そして、図６のステップＳ１に戻る。
【００３５】
第１実施例においては、ビューファインダ２３近傍に設けられる撮影ＬＥＤ３１はＣＣＤ１３の動作状態を表示し、ＬＣＤ１７近傍に設けられる状態ＬＥＤ４０は制御部１０の制御状態を表示する。このため、ＣＣＤ１３の動作状態と制御部１０の制御状態とを使用者に明示することができ、デジタルカメラ１の状態を使用者に簡便に明示することができる。したがって、電源オン／オフの状態、オートフォーカス、露出のロック状態、画像データ処理中の状態、ならびにカメラの撮影可能状態を使用者が容易に認識することができる。
【００３６】
さらに第１実施例においては、状態ＬＥＤ４０はフラッシュメモリ１６が画像データを記録不可能な状態であることを表示するので、フラッシュメモリ１６の画像データが満杯となり、書き込み不可であることを使用者が容易に認識することができる。したがって、デジタルカメラ１の状態を使用者に簡便に明示することができる。
【００３７】
さらにまた第１実施例においては、撮影ＬＥＤ３１および状態ＬＥＤ４０は点灯あるいは点滅により各種状態を表示するので、デジタルカメラ１の状態を使用者に簡便に明示するとともに、デジタルカメラ１の状態を表示するための消費電力を低減することができる。
【００３８】
さらにまた第１実施例においては、状態ＬＥＤ４０はＬＥＤ４１および４２を有し、複数色の発光が可能であるので、デジタルカメラ１の状態を使用者が容易にかつ確実に認識することができる。
【００３９】
（第２実施例）
本発明の第２実施例を図７に示す。デジタルカメラの構成は図１〜図４に示す第１実施例のデジタルカメラ１と同様であるので説明を省略する。また、図６に示す第１実施例の動作と同一動作に同一ステップ符号を付す。
【００４０】
第２実施例においては、図７に示すように、セルフタイマが起動されている場合、撮影ＬＥＤは点灯の状態になる（ステップＳ１１およびステップＳ１２）。そして、例えば図６に示す第１実施例のステップＳ６に移行する。また、セルフタイマが起動されていない場合、ステップＳ１２を飛び越してステップＳ６に移行する。
【００４１】
第２実施例においては、セルフタイマが起動されている状態を使用者が容易に認識することができる。したがって、デジタルカメラの動作状態を使用者に簡便に明示することができる。
【００４２】
（第３実施例）
本発明の第３実施例を図８に示す。デジタルカメラの構成は図１〜図４に示す第１実施例のデジタルカメラ１と同様であるので説明を省略する。また、図６に示す第１実施例の動作と同一動作に同一ステップ符号を付す。
【００４３】
第３実施例においては、図８に示すように、ストロボチャージ中である場合、撮影ＬＥＤは点滅の状態になる（ステップＳ２１およびステップＳ２２）。そして、例えば図６に示す第１実施例のステップＳ４に移行する。また、セルフタイマが起動されていない場合、ステップＳ２２を飛び越してステップＳ４に移行する。
【００４４】
第３実施例においては、ストロボチャージ中である状態を使用者が容易に認識することができる。したがって、デジタルカメラの動作状態を使用者に簡便に明示することができる。
【００４５】
（第４実施例）
本発明の第４実施例を図９に示す。デジタルカメラの構成は図１〜図４に示す第１実施例のデジタルカメラ１と同様であるので説明を省略する。また、図６に示す第１実施例の動作と同一動作に同一ステップ符号を付す。
【００４６】
第４実施例においては、図９に示すように、バッテリの電圧が降下している場合、状態ＬＥＤの赤色が点滅の状態になる（ステップＳ３１およびステップＳ３２）。そして、ＣＣＤの動作が可能なとき、例えば図６に示す第１実施例のステップＳ４に移行し、ＣＣＤの動作が不可能なとき、ステップＳ１に移行する。また、バッテリの電圧が降下していない場合、ステップＳ３２を飛び越してステップＳ４に移行する。
【００４７】
第４実施例においては、バッテリの電位状態を使用者が容易に認識することができる。したがって、デジタルカメラの状態を使用者に簡便に明示することができる。
【００４８】
（第５実施例）
本発明の第５実施例を図１０に示す。デジタルカメラの構成は図１〜図４に示す第１実施例のデジタルカメラ１と同様であるので説明を省略する。また、図６に示す第１実施例の動作と同一動作に同一ステップ符号を付す。
【００４９】
第５実施例においては、図１０に示すように、バリアクローズでシャッタボタンを押し込んだ場合、状態ＬＥＤの橙色が点滅の状態になる（ステップＳ４１およびステップＳ４２）。そして、ステップＳ１に移行する。また、バリアクローズでない場合、ステップＳ４２を飛び越して例えば図６に示す第１実施例のステップＳ４に移行する。
【００５０】
第５実施例においては、バリアクローズでシャッタボタンを押し込んだことを使用者が容易に認識することができる。したがって、デジタルカメラの状態を使用者に簡便に明示することができる。
【００５１】
（第６実施例）
本発明の第６実施例を図１１に示す。デジタルカメラの構成は図１〜図４に示す第１実施例のデジタルカメラ１と同様であるので説明を省略する。また、図６に示す第１実施例の動作と同一動作に同一ステップ符号を付す。
【００５２】
第６実施例においては、図１１に示すように、制御部が何らかの原因でエラーの状態になった場合、状態ＬＥＤの赤色が点灯の状態になる（ステップＳ５１およびステップＳ５２）。そして、ステップＳ１に移行する。また、制御部がエラーの状態でない場合、ステップＳ５２を飛び越して例えば図６に示す第１実施例のステップＳ４に移行する。
【００５３】
第６実施例においては、制御部がエラーの状態にあることを使用者が容易に認識することができる。したがって、デジタルカメラの状態を使用者に簡便に明示することができる。
【００５４】
（第７実施例）
本発明の第７実施例を図１２に示す。デジタルカメラの構成は図１〜図４に示す第１実施例のデジタルカメラ１と同様であるので説明を省略する。また、図６に示す第１実施例の動作と同一動作に同一ステップ符号を付す。
【００５５】
第７実施例においては、図１２に示すように、ＡＣアダプタを接続して交流電源を使用している場合、状態ＬＥＤの緑色が点灯の状態になる（ステップＳ６１およびステップＳ６２）。そして、例えば図６に示す第１実施例のステップＳ４に移行する。また、ＡＣアダプタを接続せず、電池を電源に使用している場合、ステップＳ６２を飛び越してステップＳ４に移行する。
【００５６】
第７実施例においては、ＡＣアダプタを接続して交流電源を使用していることを使用者が容易に認識することができる。したがって、デジタルカメラの状態を使用者に簡便に明示することができる。
【００５７】
（第８実施例）
本発明の第８実施例を図１３に示す。デジタルカメラの構成は図１〜図４に示す第１実施例のデジタルカメラ１と同様であるので説明を省略する。また、図６に示す第１実施例の動作と同一動作に同一ステップ符号を付す。
【００５８】
第８実施例においては、図１３に示すように、すでに撮影され、フラッシュメモリに記録された画像データに基づく画像をＬＣＤに表示して再生したり、デジタルカメラのセットアップ（初期設定）を行っている場合、状態ＬＥＤの緑色が点灯の状態になる（ステップＳ７１およびステップＳ７２）。そして、例えば図６に示す第１実施例のステップＳ４に移行する。また、画像再生やセットアップを行っていない場合、ステップＳ７２を飛び越してステップＳ４に移行する。
【００５９】
第８実施例においては、画像再生やセットアップを行っていることを使用者が容易に認識することができる。したがって、デジタルカメラの状態を使用者に簡便に明示することができる。
【００６０】
以上説明した本発明の上記複数の実施例では、通電により緑色に発光するＬＥＤと、通電により赤色に発光するＬＥＤとを状態ＬＥＤに用いたが、本発明では、通電により緑色に発光するＬＥＤと、通電により青色に発光するＬＥＤとを状態ＬＥＤに用いてもよいし、通電により赤色に発光するＬＥＤと、通電により青色に発光するＬＥＤとを状態ＬＥＤに用いてもよい。また、通電により緑色に発光するＬＥＤと、通電により赤色に発光するＬＥＤと、通電により青色に発光するＬＥＤとを状態ＬＥＤに用いてもよい。上記のように、３色のＬＥＤを状態ＬＥＤに用いた場合、緑色のＬＥＤと青色のＬＥＤとに通電することにより紫色に発光するので、緑色、赤色、橙色および紫色の点灯、点滅および消灯により９種類の異なる状態を区別して表示することができる。
【図面の簡単な説明】
【００６１】
【図１】本発明の第１実施例によるデジタルカメラを示す背面図である。
【図２】本発明の第１実施例によるデジタルカメラを示す正面図である。
【図３】本発明の第１実施例によるデジタルカメラを示す平面図である。
【図４】本発明の第１実施例によるデジタルカメラを示すブロック図である。
【図５】本発明の第１実施例によるデジタルカメラの作動を示すタイム図である。
【図６】本発明の第１実施例によるデジタルカメラの制御部、撮影ＬＥＤおよび状態ＬＥＤの動作を示すフロー図である。
【図７】本発明の第２実施例によるデジタルカメラの制御部、撮影ＬＥＤおよび状態ＬＥＤの動作を示すフロー図である。
【図８】本発明の第３実施例によるデジタルカメラの制御部、撮影ＬＥＤおよび状態ＬＥＤの動作を示すフロー図である。
【図９】本発明の第４実施例によるデジタルカメラの制御部、撮影ＬＥＤおよび状態ＬＥＤの動作を示すフロー図である。
【図１０】本発明の第５実施例によるデジタルカメラの制御部、撮影ＬＥＤおよび状態ＬＥＤの動作を示すフロー図である。
【図１１】本発明の第６実施例によるデジタルカメラの制御部、撮影ＬＥＤおよび状態ＬＥＤの動作を示すフロー図である。
【図１２】本発明の第７実施例によるデジタルカメラの制御部、撮影ＬＥＤおよび状態ＬＥＤの動作を示すフロー図である。
【図１３】本発明の第８実施例によるデジタルカメラの制御部、撮影ＬＥＤおよび状態ＬＥＤの動作を示すフロー図である。
【符号の説明】
【００６２】
１…デジタルカメラ、１０…制御部、１３…ＣＣＤ（撮像手段）、１４…Ａ／Ｄ変換器（変換手段）、１５…ＲＡＭ（一時記憶手段）、１６…フラッシュメモリ（画像データ記録手段）、２０…シャッタボタン、３１…撮影ＬＥＤ（第１の表示部）、４０…状態ＬＥＤ（第２の表示部）、４１，４２…ＬＥＤ。
【図１】
0004809196.tif 000002
【図２】
0004809196.tif 000003
【図３】
0004809196.tif 000004
【図４】
0004809196.tif 000005
【図５】
0004809196.tif 000006
【図６】
0004809196.tif 000007
【図７】
0004809196.tif 000008
【図８】
0004809196.tif 000009
【図９】
0004809196.tif 000010
【図１０】
0004809196.tif 000011
【図１１】
0004809196.tif 000012
【図１２】
0004809196.tif 000013
【図１３】
0004809196.tif 000014